(57)【要約】【課題】表示装置の動作時間の監視をすることなく、経時変化によるホワイトバランスの崩れを防止することができる有機ＥＬ駆動回路および有機ＥＬ表示装置を提供することにある。【解決手段】この発明は、ピンをそれぞれに電流駆動するための電流あるいはその基礎となる電流をＲ，Ｇ，Ｂ対応に外部から所定のデータが設定されることにより調整するＲ，Ｇ，Ｂ対応にそれぞれ設けられた電流値調整回路と、Ｒ，Ｇ，Ｂ対応にピンの電圧値を検出する電圧検出回路と、ピンの電圧値に応じてＲ，Ｇ，Ｂ対応にホワイトバランスを採る輝度に設定するためのデータが記憶された記憶手段と、電圧検出回路による得られるＲ，Ｇ，Ｂのそれぞれのピンの電圧値に応じて記憶手段を参照して得られるホワイトバランスを採るデータをＲ，Ｇ，Ｂのいずれかの電流値調整回路に設定する制御回路とを備えるものである。【選択図】    図１
2004219623.tif 000002
【特許請求の範囲】
【請求項１】
Ｒ，Ｇ，Ｂの表示色のそれぞれに対応して設けられた有機ＥＬパネルの端子ピンを介して有機ＥＬパネルを電流駆動する有機ＥＬ駆動回路において、
前記端子ピンに流す駆動電流あるいはその基礎となる電流をＲ，Ｇ，Ｂ対応に外部から所定のデータが設定されることにより調整するＲ，Ｇ，Ｂ対応にそれぞれ設けられた電流値調整回路と、
前記Ｒ，Ｇ，Ｂ対応に前記端子ピンの電圧値を検出する電圧検出回路と、
前記端子ピンの電圧値に応じてホワイトバランスを採る輝度に設定するためのデータが前記Ｒ，Ｇ，Ｂ対応に記憶された記憶手段と、
前記電圧検出回路による得られる前記Ｒ，Ｇ，Ｂのそれぞれの前記端子ピンの電圧値に応じて前記記憶手段を参照して得られるホワイトバランスを採る前記データを前記Ｒ，Ｇ，Ｂのいずれかの前記電流値調整回路に設定する制御回路とを備える有機ＥＬ駆動回路。
【請求項２】
前記記憶手段は、ホワイトバランスの初期調整において得られる前記Ｒ，Ｇ，Ｂ対応の前記端子ピンの電圧値と、この端子ピンの電圧値と検出された前記端子ピンの電圧値との差に応じた輝度調整のためのデータとが記憶されている請求項１記載の有機ＥＬ駆動回路。
【請求項３】
前記輝度調整のためのデータは、前記端子ピンの電圧値が上昇したときに、前記端子ピンを駆動する電流値を増加させるものである請求項２記載の有機ＥＬ駆動回路。
【請求項４】
さらに、前記電流値調整回路から調整された電流あるいはこの調整された電流の電流値に応じた電流と前記制御回路から前記端子ピン対応に表示データとを受けて受けた電流を前記表示データに応じた電流値の電流に変換する前記端子ピン対応に設けられたＤ／Ａ変換回路と、
このＤ／Ａ変換回路により変換された電流値の電流により電流駆動され、前記端子ピンに駆動電流を出力する前記端子ピン対応に設けられた電流源とを備え、前記制御回路は、プロセッサであって、前記表示データとして最大輝度となるデータが設定されて前記電圧検出回路から前記端子ピンの電圧値を得る請求項２記載の有機ＥＬ駆動回路。
【請求項５】
Ｒ，Ｇ，Ｂの表示色のそれぞれに対応して設けられた有機ＥＬパネルの端子ピンを介して有機ＥＬパネルを電流駆動する有機ＥＬ駆動回路を有する有機ＥＬ表示装置において、
前記端子ピンに流す駆動電流あるいはその基礎となる電流をＲ，Ｇ，Ｂ対応に外部から所定のデータが設定されることにより調整するＲ，Ｇ，Ｂ対応にそれぞれ設けられた電流値調整回路と、
前記Ｒ，Ｇ，Ｂ対応に前記端子ピンの電圧値を検出する電圧検出回路と、
前記端子ピンの電圧値に応じてホワイトバランスを採る輝度に設定するためのデータが前記Ｒ，Ｇ，Ｂ対応に記憶された記憶手段と、
前記電圧検出回路による得られる前記Ｒ，Ｇ，Ｂのそれぞれの前記端子ピンの電圧値に応じて前記記憶手段を参照して得られるホワイトバランスを採る前記データを前記Ｒ，Ｇ，Ｂのいずれかの前記電流値調整回路に設定する制御回路とを備える有機ＥＬ表示装置。
【請求項６】
前記記憶手段は、ホワイトバランスの初期調整において得られる前記Ｒ，Ｇ，Ｂ対応の前記端子ピンの電圧値と、この端子ピンの電圧値と検出された前記端子ピンの電圧値との差に応じた輝度調整のためのデータとが記憶されている請求項５記載の有機ＥＬ表示装置。
【請求項７】
前記輝度調整のためのデータは、前記端子ピンの電圧値が上昇したときに、前記端子ピンを駆動する電流値を増加させるものである請求項６記載の有機ＥＬ表示装置。
【請求項８】
さらに、前記電流値調整回路から調整された電流あるいはこの調整された電流の電流値に応じた電流と前記制御回路から前記端子ピン対応に表示データとを受けて受けた電流を前記表示データに応じた電流値の電流に変換する前記端子ピン対応に設けられたＤ／Ａ変換回路と、
このＤ／Ａ変換回路により変換された電流値の電流により電流駆動され、前記端子ピンに駆動電流を出力する前記端子ピン対応に設けられた電流源とを備え、前記制御回路は、プロセッサであって、前記表示データとして最大輝度となるデータが設定されて前記電圧検出回路から前記端子ピンの電圧値を得る請求項７記載の有機ＥＬ表示装置。
【発明の詳細な説明】
【０００１】
【発明の属する技術分野】
この発明は、有機ＥＬ駆動回路およびこれを用いる有機ＥＬ表示装置に関し、詳しくは、携帯電話機，ＰＨＳ等の表示装置を有する電子機器のＲ（赤），Ｇ（緑），Ｂ（青）の輝度調整による表示画面上でのホワイトバランス調整において、表示装置の動作時間の監視をすることなく、経時変化によるホワイトバランスの崩れを防止することができるような高輝度カラー表示に適した有機ＥＬ表示装置に関する。
【０００２】
【従来の技術】
携帯電話機，ＰＨＳ、ＤＶＤプレーヤ、ＰＤＡ（携帯端末装置）等に搭載される有機ＥＬ表示装置の有機ＥＬ表示パネルでは、カラムラインの数が３９６個（１３２×３）の端子ピン（以下ピン）、ローラインが１６２個のピンを持つものが提案され、カラムライン、ローラインのピンはこれ以上に増加する傾向にある。
このような有機ＥＬ表示パネルの電流駆動回路の出力段は、アクディブマトリックス型でも単純マトリックス型のものでもピン対応に電流源の駆動回路、例えば、カレントミラー回路による出力回路が設けられている。
【０００３】
有機ＥＬ表示装置の問題点の１つは、液晶表示装置のように電圧駆動を行うと、輝度ばらつきが大きくなり、かつ、Ｒ，Ｇ，Ｂに発光感度差があることから表示制御が難しいことである。そのために電流駆動を行うことになるが、電流駆動を行っても、Ｒ，Ｇ，Ｂの駆動電流に対する発光効率の比は、例えば、Ｒ：Ｇ：Ｂ＝６：１１：１０程度と差があって、このような発光効率は、使用される有機ＥＬ素子の材料によって異なってくる。
しかも、発光効率は、経年変化をして、動作時間の累算期間（発光のトータル動作時間，以下動作時間あるいはトータル動作時間という）が長くなればなるほど悪くなる上に、それぞれの発光材料に応じてその経年変化特性は異なっいる。
そのためホワイトバランスが崩れ易い。
図５は、その経年変化の一例であり、Ｂの変化は、Ｒ，Ｇとは異なり、１０時間程度から発光輝度が落ち、ＲとＧとは５００時間を超えると発光輝度が目立って落ちてくる。そのため、出荷段階で表示装置のホワイトバランスを初期調整しても有機ＥＬ表示装置の場合には経年変化による色相が変化し易い問題がある。
ところで、マトリックス状に配置した有機ＥＬ素子を電流駆動し、かつ、有機ＥＬ素子の陽極と陰極をグランドに落としてリセットする有機ＥＬ素子の駆動回路が特許文献１として公知である。また、ＤＣ−ＤＣコンバータを用いて有機ＥＬ素子を低消費電力で電流駆動する技術が特許文献２として公知である。
【０００４】
【特許文献１】
特開平９−２３２０７４号公報
【特許文献２】
特開２００１−１４３８６７号公報
【０００５】
【発明が解決しようとする課題】
通常、有機ＥＬ表示装置は、ＭＰＵ等のコントローラを内蔵しているので、不揮発性メモリを設けて動作時間を積算してそれに応じて経年変化による輝度を補正してホワイトバランスを調整することが可能であるが、動作時間を積算は、各種の使用環境に合わせるために、秒単位あるいは分単位で採ることが必要になる。例えば、カウント時間が１０００時間以上の経過時間を秒単位あるいは分単位でカウントするとなると、カウンタの桁数が非常に多くなり、その時間監視のプログラム処理も時間がかからざるを得ない。
しかも、各発光材料の劣化特性にもばらつきがあるので、１時間単位でのカウントをしても積算誤差が大きくなって、その積算結果で輝度調整をすると返ってホワイトバランスがくずれる可能性がある。
この発明の目的は、このような従来技術の問題点を解決するものであり、表示装置の動作時間の監視をすることなく、経時変化によるホワイトバランスの崩れを防止することができる有機ＥＬ駆動回路および有機ＥＬ表示装置を提供することにある。
【０００６】
【課題を解決するための手段】
このような目的を達成するためのこの発明の有機ＥＬ駆動回路およびこれを用いる有機ＥＬ表示装置の特徴は、ピンに流す駆動電流あるいはその基礎となる電流をＲ，Ｇ，Ｂ対応に外部から所定のデータが設定されることにより調整するＲ，Ｇ，Ｂ対応にそれぞれ設けられた電流値調整回路と、Ｒ，Ｇ，Ｂ対応にピンの電圧値を検出する電圧検出回路と、ピンの電圧値に応じてホワイトバランスを採る輝度に設定するためのデータがＲ，Ｇ，Ｂ対応に記憶された記憶手段と、電圧検出回路による得られるＲ，Ｇ，Ｂのそれぞれのピンの電圧値に応じて記憶手段を参照して得られるホワイトバランスを採るデータをＲ，Ｇ，Ｂのいずれかの電流値調整回路に設定する制御回路とを備えるものである。
【０００７】
【発明の実施の形態】
このように、この発明にあっては、Ｒ，Ｇ，Ｂ対応にピンの電圧値を検出して、その電圧値に応じてホワイトバランスを採る所定のデータを記憶手段を参照して得て、電流値調整回路に設定するようにしている。これにより、経時変化により、例えば、有機ＥＬ素子の駆動電圧値が上昇して変化した場合にそれに応じた輝度調整データがＲ，Ｇ，Ｂ対応にそれぞれ設けられた電流値調整回路の１つに設定されるので、経時変化によるホワイトバランスの崩れを抑制することができる。
その結果、桁数が非常に多いカウンタ等による時間監視をしなくても済み、経時変化によるホワイトバランスの崩れを抑制することができる有機ＥＬ駆動回路および有機ＥＬ表示装置を容易に実現できる。
【０００８】
【実施例】
図１は、この発明の有機ＥＬ駆動回路を適用した一実施例の有機ＥＬパネルのカラムドライバを中心とするブロック図、図２は、そのホワイトバランスの設定処理のフローチャート、図３は、発光輝度と端子電圧とのトータル動作時間の特性を一例を示すグラフ図、図４は、有機ＥＬ素子に流れる電流密度と発光輝度の特性を示すグラフ図である。
図１において、１０は、有機ＥＬパネルにおける有機ＥＬ駆動回路としてのカラムＩＣドライバ（以下カラムドライバ）である。このカラムドライバ１０は、基準電流発生回路１と、Ｒ（赤）に対応して設けられたＲ−基準電流生成回路２Ｒと、Ｇ（緑）に対応して設けられたＧ−基準電流生成回路２Ｇ、そして、Ｂ（青）に対応して設けられたＢ−基準電流生成回路２Ｂとを有している。
【０００９】
各基準電流設定回路２Ｒ，２Ｇ，２Ｂは、それぞれ基準電流発生回路１から基準電流Ｉｒｅｆを入力段として設けられたカレントミラー回路で受けてそれぞれの表示色に対応した基準電流Ｉｒ，Ｉｇ，Ｉｂを生成する。ここで生成した基準電流Ｉｒ，Ｉｇ，Ｉｂでカレントミラー回路３の入力側トランジスタをそれぞれに駆動し、このカレントミラー回路３によりピン対応に、生成した基準電流を分配する。
なお、Ｇ−基準電流生成回路２Ｇ、Ｂ−基準電流生成回路２Ｂが接続されるカレントミラー回路３についてはＲ−基準電流生成回路２Ｒが接続されているカレントミラー回路３と同様な構成であるので、特に図示してはいない。そこで、以下では、Ｒ−基準電流生成回路２Ｒとカレントミラー回路３との関係について説明し、Ｇ−基準電流生成回路２ＧとＢ−基準電流生成回路２Ｂとのカレントミラー回路３との関係については割愛する。
また、各基準電流設定回路２Ｒ，２Ｇ，２Ｂには、それぞれ６ビット程度のＤ／Ａ変換回路（Ｄ／Ａ）２が設けられていて、ホワイトバランス調整のためにＲ，Ｇ，Ｂそれぞれの表示色に対応する基準電流の電流値がそれぞれのＤ／Ａ２に設定されるデータで調整される。この６ビットのデータは、装置外部から入力データとしてＭＰＵ７に供給されてＭＰＵ７からレジスタ６ａを介して各Ｄ／Ａ２に設定される。
８は、ＭＰＵ７に制御されるコントロール回路であり、各種のタイミングコントロール信号を発生するのほかに、Ｒ，Ｇ，Ｂに対応するそれぞれのリセットパルスＲＳＲ，ＲＳＧ，ＲＳＢを発生する。Ｒについては、リセットパルスＲＳＲによりＲについてのカラム側の出力端子ＸＲ１〜ＸＲに接続されたリセットスイッチＳＷＲ１，…ＳＷＲｍ−１，ＳＷＲｍをリセット期間にＯＮにしてＲについての有機ＥＬ素子を定電圧ＶＺＲでリセットする。Ｇ，ＢについてのリセットパルスＲＳＧ，ＲＳＢも同様にＧ，Ｂについての有機ＥＬ素子のリセットをする。
【００１０】
Ｒ−基準電流生成回路２Ｒは、基準電流発生回路１により基準電流Ｉｒｅｆで駆動されてＲについての基準電流Ｉｒを生成する。カレントミラー回路３は、この基準電流Ｉｒを入力側のトランジスタＴｒａで受けて駆動され、出力側に基準電流Ｉｒを発生して、Ｒの各ピン対応に基準電流Ｉｒを分配する。
カレントミラー回路３は、入力側のトランジスタＴｒａと、これとカレントミラー接続されるＰチャネルＭＯＳＦＥＴトランジスタＴｒｂ〜Ｔｒｎとを有していて、トランジスタＴｒｂ〜Ｔｒｎのソースは、電源ライン＋ＶＤＤ（＝＋３Ｖ）に接続されている。
トランジスタＴｒｂ〜Ｔｒｎのドレインは、Ｄ／Ａ変換回路４Ｒ，４Ｒ…に接続され、それぞれのドレインからの出力電流Ｉｒは、このＤ／Ａ変換回路４Ｒの基準駆動電流とされる。なお、Ｇ−基準電流生成回路２Ｇ、Ｂ−基準電流生成回路２Ｂは、それぞれ出力電流Ｉｇ，Ｉｂを出力する。
【００１１】
各Ｄ／Ａ変換回路４Ｒは、ＭＰＵ７からレジスタ６ｂを介して表示データを受けてＲ−基準電流生成回路２Ｒで生成されたＲについての基準駆動電流Ｉｒを表示データ値分増幅してそのときどきの表示輝度に応じた駆動電流を生成し、それぞれに出力段電流源５Ｒを駆動する。各出力段電流源５Ｒは、一対のトランジスタからなるカレントミラー回路（図示せず）で構成され、Ｒについてのカラム側の出力端子ＸＲ１〜ＸＲｍを介して駆動電流ｉを有機ＥＬパネル（Ｒについての各有機ＥＬ素子の陽極）に出力する。
最終段のトランジスタＴｒｎのドレインは、Ｄ／Ａ変換回路４Ｒに接続され、このＤ／Ａ変換回路４Ｒを駆動する。Ｄ／Ａ変換回路４Ｒは、設定されたデータに応じて出力段電流源５Ｒを駆動し、出力段電流源５Ｒが出力電流ＩｏｕｔをこのＩＣの外部出力端子１０ｂから外部へと出力する。この出力は、次段に設けられたカラムＩＣドライバに入力されて、同様な駆動電流を発生するモニタ電流にされる。なお、このモニタ電流は、Ｂ側あるいはＧ側に設けられた出力段電流源５Ｒの１つから出力されてもよい。
【００１２】
スイッチ回路ＳＷＲ１，ＳＲ２，…ＳＲｍは、Ｒについて出力端子ＸＲ１〜ＸＲｍに対応に設けられたリセットスイッチであり、各出力端子を定電圧ＶｚＲにリセットするものである。Ｇについても出力端子ＸＧ１〜ＸＧｍに対応に設けられたリセットスイッチがあり、Ｂについても出力端子ＸＢ１〜ＸＢｍに対応に設けられたリセットスイッチがあるが、それらは図では省略されている。
１１Ｒ，１１Ｇ，１１Ｂは、それぞれＲ，Ｇ，Ｂに対応して設けられた電圧検出回路であって、出力端子ＸＲ１は、スイッチＳＷＲを介して電圧検出回路１１Ｒに接続され、出力端子ＸＧ１は、スイッチＳＷＧを介して電圧検出回路１１Ｇに接続され、出力端子ＸＢ１は、スイッチＳＷＢを介して電圧検出回路１１Ｂに接続されている。
【００１３】
９は、パワーオンリセット回路であり、電源スイッチＳＷが投入されたときに一定期間“Ｌ”となり、その後立上がるリセットパルスＲＳを発生してそれをＭＰＵ７に送出する。ＭＰＵ７は、ホワイトバランスの再設定処理プログラム７ａを実行してレジズタ６ｂにＲ，Ｇ，Ｂ対応にそれぞれに対して最大輝度となるデータをセットして、一定動作時間、例えば、２５０時間経過後において電源投入時にホワイトバランスの調整をする。以後、例えば、５０時間ごとに、同様な調整に入る。
このときのホワイトバランスの調整は、電圧検出回路１１Ｒ，１１Ｇ，１１Ｂにより検出されるそれぞれ出力端子ＸＲ１，出力端子ＸＧ１，出力端子ＸＢ１の端子電圧をＭＰＵ７が参照することで行われる。
なお、ＭＰＵ７は、前記の再設定処理プログラム７ａのほか、ソフトカウンタ７ｂ、そして差電圧値／設定データ変換テーブル７ｃとを内部に設けられた不揮発性メモリに有している。
ソフトカウンタ７ｂは、動作時間を累積してカウントするものであるが、動作時間を監視するような精度の高い時間カウントをするものではない。これは、ここでは１時間ごとに動作時間をカウントする。また、この不揮発性メモリには、製品出荷段階でのホワイトバランスが調整時のＲ，Ｇ，Ｂそれぞれについて出力ピンの電圧値（初期値）のデータＶＲ，ＶＧ，ＶＢとが記憶されている。
【００１４】
図２は、そのホワイトバランスの再設定処理のフローチャートである。
ホワイトバランスの再設定処理プログラム７ａは、電源導入に応じて起動される。ソフトカウンタ７ｂを参照してトータル動作時間がＴ（初期値Ｔ＝２５０時間）以上かの判定に入り（ステップ１０１）、ここでＮＯとなると、この処理を終了する。
ステップ１０１の判定でＹＥＳとなると、スイッチＳＷＲ，スイッチＳＷＧ，スイッチＳＷＢをそれぞれＯＮにするパルスを発生し（ステップ１０２）、電圧検出回路１１Ｒ，１１Ｇ，１１Ｂにより検出された電圧値ＶＲ，ＶＧ，ＶＢを読込む（ステップ１０３）。Ｒ，Ｇ，Ｂそれぞれの初期電圧値との差ＳＲ，ＳＧ，ＳＢを算出する（ステップ１０４）。そして、Ｒ，Ｇ，Ｂそれぞれについて初期電圧値ＶＳＲ，ＶＳＧ，ＶＳＢと比較してその差が一定値（Ｒ，Ｇ，Ｂそれぞれに設けられた一定値ＫＲ，ＫＧ，ＫＢ）以上か否かをそれぞれに判定し（ステップ１０５）、Ｒ，Ｇ，Ｂのいずれかにおいて、この差が一定値以上のときには、ＹＥＳとなって、得られた差に応じてＲ，Ｇ，ＢがＤ／Ａ２に設定した初期電圧値ＶＳＲ，ＶＳＧ，ＶＳＢのときの輝度になるようにそれぞれ補正した電流値のデータを差電圧値／設定データ変換テーブル７ｃからデータを得てそのデータをレジスタ６ａに設定して基準電流値補正を行う（ステップ１０６）。
レジスタ６ａに設定されたデータは、Ｒ，Ｇ，Ｂ対応のそれぞれのＤ／Ａ２にデータとして設定される。これによりそれぞれに基準電流値が調整される。
【００１５】
そして、初期値Ｔを５０時間に設定して（ステップ１０７）、ここでの処理を終了する。これにより、次の電源投入から５０時間ごとに、同様な処理が行われて、ホワイトバランスが定期的に調整される。
なお、ステップ１０５の判定において、Ｒ，Ｇ，Ｂのいずれかあるいはすべてにおいて、差ＳＲ，ＳＧ，ＳＢが一定値未満であるときには、ＮＯとなり、その一定未満に対応した処理について、このでの処理を終了する。そこで、この一定値未満の場合のＲ，Ｇ，Ｂのいずれかのレジズタ６ａの設定データには変更はない。
ここでの一定値は、現在のところ２００時間乃至３００時間程度であり、これ以下の動作時間におけるホワイトバランスの崩れは実際上目立たず、改めて調整する必要はない。そこで、前記の一定値は、Ｒ，Ｇ，Ｂそれぞれに２５０時間としている。
また、２００時間乃至３００時間程度の時間監視は、時間に幅があるので、秒単位あるいは分単位でカウントするような監視ではなく、時単位あるいは日単位で粗く時間カウントをして時間計測をすればよいので、桁数の少ないソフトカウンタ等による簡単な処理で済む。
【００１６】
前記のステップ１０６の基準電流値補正は、図３の経時変化特性に示すような有機ＥＬ素子の駆動電圧が経年変化する特性に従って行われる。
図３は、縦軸左は、輝度［ｎｉｔ］であり、縦軸右は、有機ＥＬ素子のの端子電圧［Ｖ］、横軸は、トータル動作時間［ｈ］である。
特性Ａに示されるように、累積動作時間が増加していくと、発光輝度が落ちる。これとともに特性Ｂに示すように端子電圧が増加していく。
そこで、ＭＰＵ７は、内部に設けられた不揮発性メモリに製品出荷段階でＲ，Ｇ，Ｂの最大輝度においてホワイトバランス調整したときに電圧検出回路１１Ｒ，１１Ｇ，１１Ｂから得られる各電圧値ＶＲ，ＶＧ，ＶＢを初期電圧値ＶＳＲ，ＶＳＧ，ＶＳＢとしてＲ，Ｇ，Ｂ対応に記憶する。
そして、電源投入後の初期に前記のステップ１０５において、現在の電圧Ｖの判定を行い、ホワイトバランスが採れる輝度になるような基準電流値のデータを差電圧値／設定データ変換テーブル７ｄを参照して得てＤ／Ａ２に設定する。
図４の電流対輝度特性に示すように、Ｒ，Ｇ，Ｂともに電流の増加に対して輝度が直線的に増加している。なお、縦軸は、輝度［ｃｄ／ｍ２］であり、横軸は電流密度［ｍＡ／ｃｍ２］である。
図３の特性Ａと特性Ｂとをトータル動作時間、２００時間以降において、点線で示すように直線近似したときに、その傾きが相違するので、補正値Ｈ＝差電圧ΔＶ×（−ＫＡ／ＫＢ）により算出される。ただし、−ＫＡ，ＫＢは、それぞれの直線の傾きである。
そこで、差電圧値／設定データ変換テーブル７ｄは、この補正値Ｈに対応する電流値を図４の特性から得て前記Ｄ／Ａ２の初期値のデータに対応する輝度を発生する電流値をデータとして差電圧ΔＶとの関係でテーブル化したものである。
【００１７】
以上説明してきたが、実施例では、電源投入時に有機ＥＬパネルの端子電圧を検出して輝度を補正してホワイトバランスの調整をしているが、この輝度補正は、例えば、電源遮断時や特定のキー入力時であっもよく、電源投入時に限定されるものではない。
また、実施例では、図３の特性において直線近似をして差電圧値／設定データ変換テーブル７ｄの変換データを得ているが、この変換データは、直線近似により得るものに限定されるものではない。
実施例では、Ｒ，Ｇ，Ｂ対応にピンの電圧を検出する電圧検出回路を設けているが、これは、１個の電圧検出回路を切り換えて使用してＲ，Ｇ，Ｂ対応にピンの電圧を検出してもよい。
なお、有機ＥＬパネルの端子ピンとこの端子ピンに接続されるカラムドライバＩＣの出力ピンとは、本来接続されて一体となるので、この明細書および特許請求の範囲においては特に区別されるべきものではない。
さらに、実施例では、電圧検出回路の電圧検出は、スイッチを介して１つのピンについて行っているが、複数のピンから電圧値を検出して複数のピンの検出電圧の平均値を検出値として、この電圧に応じてホワイトバランスの補正するようにしてもよい。
【００１８】
【発明の効果】
以上説明してきたように、この発明にあっては、Ｒ，Ｇ，Ｂ対応にピンの電圧値を検出して、その電圧値に応じてホワイトバランスを採る所定のデータを記憶手段を参照して得て、電流値調整回路に設定するようにしてい。これにより、経時変化により、例えば、有機ＥＬ素子の駆動電圧値が上昇して変化した場合にそれに応じた輝度調整データがＲ，Ｇ，Ｂ対応にそれぞれ設けられた電流値調整回路の１つに設定されるので、経時変化によるホワイトバランスの崩れを抑制することができる。
その結果、桁数が非常に多いカウンタ等による時間監視をしなくても済み、経時変化によるホワイトバランスの崩れを抑制することができる有機ＥＬ駆動回路および有機ＥＬ表示装置を容易に実現できる。
【図面の簡単な説明】
【図１】図１は、この発明の有機ＥＬ駆動回路を適用した一実施例の有機ＥＬパネルのカラムドライバを中心とするブロック図である。
【図２】図２は、そのホワイトバランスの再設定処理のフローチャートである。
【図３】図３は、発光輝度と端子電圧とのトータル動作時間の特性を一例を示すグラフ図である。
【図４】図４は、有機ＥＬ素子に流れる電流密度と発光輝度の特性を示すグラフ図である。
【図５】図５は、有機ＥＬ素子の発光輝度の経年変化の一例の説明図である。
【符号の説明】
１…基準電流発生回路、２Ｒ，２Ｇ，２Ｂ…基準電流生成回路、
３…カレントミラー回路、４Ｒ，４Ｇ，４Ｂ…Ｄ／Ａ変換回路、
５Ｒ，５Ｇ，５Ｂ…出力段電流源、６ａ，６ｂ…レジスタ、
７…ＭＰＵ、７ａ…ホワイトバランスの再設定処理プログラム、
７ｂ…ソフトカウンタ、
７ｃ…差電圧値／設定データ変換テーブル、
７ｂ…不揮発性メモリ、８…コントロール回路、
９…パワーオンリセット回路、
ＳＷ，ＳＷＲ，ＳＷＧ，ＳＷＢＳＷＲ１，ＳＷＲｍ…スイッチ回路、
１０…カラムＩＣドライバ、
１１Ｒ，１１Ｇ，１１Ｂ…電圧検出回路、
Ｔｒａ〜Ｔｒｎ…トランジスタ。
【図１】
2004219623.tif 000003
【図２】
2004219623.tif 000004
【図３】
2004219623.tif 000005
【図４】
2004219623.tif 000006
【図５】
2004219623.tif 000007